(57)【要約】【課題】  接触法硫酸製造装置から排出された排ガスの脱硫に際して薬剤の購入や硫酸塩の廃棄に多くの費用を要することなく脱硫を経済的に行うことができ、また、脱硫により生成される希硫酸を有効利用して濃硫酸の生産量を高めることができる方法及び装置を提供する。【解決手段】  亜硫酸ガスを酸化して得られた三酸化硫黄ガスを硫酸水溶液に水を供給しながら吸収させて９０ｗｔ％以上９９ｗｔ％未満の高濃度硫酸を製造する濃硫酸生成工程を含む硫酸製造装置１０から排出された、硫黄酸化物を含む排ガスの脱硫装置２０であって、前記排ガスから前記硫黄酸化物を除去しつつ該硫黄酸化物から希硫酸を生成する脱硫塔２５と、前記濃硫酸生成工程において前記希硫酸を前記硫酸水溶液に混ぜる希硫酸混合装置２９とからなる。【選択図】    図２
2014108383.tif 000002
【特許請求の範囲】
【請求項１】
亜硫酸ガスを酸化して得られた三酸化硫黄ガスを硫酸水溶液に水を供給しながら吸収させて９０ｗｔ％以上９９ｗｔ％未満の高濃度硫酸を製造する濃硫酸生成工程を含む硫酸製造装置から排出された、硫黄酸化物を含む排ガスの脱硫方法であって、
前記排ガスから前記硫黄酸化物を除去しつつ該硫黄酸化物から希硫酸を生成する脱硫工程と、前記濃硫酸生成工程において前記希硫酸を前記硫酸水溶液に混ぜる混合工程とを含む脱硫方法。
【請求項２】
前記希硫酸の生成が前記排ガスを酸素の存在下で水分とともに活性炭系触媒に接触させることである、請求項１に記載の脱硫方法。
【請求項３】
前記排ガスを前記活性炭系触媒に接触させる前に前記排ガスを加湿用液に接触させて加湿する加湿工程を更に含む、請求項２に記載の脱硫方法。
【請求項４】
前記排ガスと接触した加湿用液の少なくとも一部を前記希硫酸とともに前記濃硫酸生成工程の前記硫酸水溶液に混ぜる、請求項３に記載の脱硫方法。
【請求項５】
前記排ガスと接触した加湿用液の少なくとも一部からニトロシル硫酸を除去する除去工程を更に含み、前記ニトロシル硫酸が除去された液を前記水分として用いる、請求項３に記載の脱硫方法。
【請求項６】
前記排ガスと接触した加湿用液の少なくとも一部からニトロシル硫酸を除去する除去工程を更に含み、前記ニトロシル硫酸が除去された液を前記希硫酸とともに前記濃硫酸生成工程の前記硫酸水溶液に混ぜる、請求項３に記載の脱硫方法。
【請求項７】
ニトロシル硫酸を除去する除去工程が、過酸化水素及びオゾンのうちの一方もしくは両方を添加する手段、又は空気を導入しながら活性炭と接触させる手段である、請求項５又は６に記載の脱硫方法。
【請求項８】
前記排ガスと接触した加湿用液の少なくとも一部を加温する加温工程を更に含み、加温された液を前記加湿用液として用いる、請求項３に記載の脱硫方法。
【請求項９】
亜硫酸ガスを酸化して得られた三酸化硫黄ガスを硫酸水溶液に水を供給しながら吸収させて９０ｗｔ％以上９９ｗｔ％未満の高濃度硫酸を製造する濃硫酸生成工程を含む硫酸製造装置から排出された、硫黄酸化物を含む排ガスの脱硫装置であって、
前記排ガスから前記硫黄酸化物を除去しつつ該硫黄酸化物から希硫酸を生成する脱硫手段と、前記希硫酸を前記硫酸水溶液に混ぜる混合手段とを含む脱硫装置。
【請求項１０】
前記脱硫手段は、前記排ガスを加湿用液に接触させて加湿する加湿手段と、該加湿手段で加湿された排ガスを受け入れる脱硫塔と、該脱硫塔に収容された活性炭系触媒と、前記脱硫塔に取り付けられ、前記活性炭系触媒に水分を供給する給水管とからなる、請求項９に記載の脱硫装置。
【請求項１１】
前記混合手段は、前記排ガスと接触した加湿用液の少なくとも一部を前記希硫酸とともに前記濃硫酸生成工程の前記硫酸水溶液に混ぜる、請求項１０に記載の脱硫装置。
【請求項１２】
前記排ガスと接触した加湿用液の少なくとも一部からニトロシル硫酸を除去するニトロシル硫酸除去手段を更に含み、
前記ニトロシル硫酸が除去された液が前記活性炭系触媒に供給される、請求項１０に記載の脱硫装置。
【請求項１３】
前記排ガスと接触した加湿用液の少なくとも一部を加温する加温手段を含み、加温された液が前記加湿手段により前記加湿用液として使用される、請求項１０に記載の脱硫装置。
【請求項１４】
亜硫酸ガスを酸化して得られた三酸化硫黄ガスを硫酸水溶液に水を供給しながら吸収させて９０ｗｔ％以上９９ｗｔ％未満の高濃度硫酸を生成する濃硫酸生成手段と、
硫黄酸化物を含む排ガスから前記硫黄酸化物を除去して生成した希硫酸を前記濃硫酸生成手段の前記硫酸水溶液に混ぜる混合手段とを含む硫酸製造プラント。
【請求項１５】
前記混合手段は、前記排ガスと接触した加湿用液の少なくとも一部を前記希硫酸とともに前記濃硫酸生成手段の前記硫酸水溶液に混ぜる、請求項１４に記載の硫酸製造プラント。
【発明の詳細な説明】
【技術分野】
【０００１】
本発明は、接触法による硫酸製造装置向けの脱硫方法及び脱硫装置に関する。
【背景技術】
【０００２】
硫酸は各種化学工業の基幹薬品として古くから大量に製造されており、その製造法は、大別すると鉛室法と接触法の２種類に分類することができる。鉛室法は、硫化鉱などの金属の硫化物を焙焼して得られる亜硫酸ガス（ＳＯ２）を空気と共にグローバー塔及び鉛室に導入し、窒素酸化物、硝酸などを触媒とする反応により硫酸を生成する方法である。一方、接触法は、非特許文献１に記載されているように、硫黄の燃焼や硫化物などの焙焼によって亜硫酸ガスを発生させた後、五酸化バナジウム（Ｖ２Ｏ５）を触媒とする酸化反応により亜硫酸ガスから三酸化硫黄ガス（無水硫酸ガス（ＳＯ３））を生成し、これをＳＯ３吸収塔内で硫酸水溶液に吸収させて濃硫酸を生成する方法である。
【０００３】
上記した鉛室法は、中間生成物として生成される硫酸水素（窒素オキシド）（ＨＳＯ４・ＮＯ）の残留により硫酸に着色が生じることがあり、また製造できる硫酸の濃度が低いので、近年は効率的に濃硫酸を製造できる接触法がもっぱら採用されている。なお、硫酸水素（窒素オキシド）はニトロシル硫酸、硫酸ニトロシル、硫酸水素ニトロシルとも呼ばれているものである（以降、ニトロシル硫酸と称する）。また、硫化物の焙焼などによってガス中に窒素酸化物が共存する場合、接触法においても濃硫酸にニトロシル硫酸が含まれることがあるが、その含有量は低濃度であるため、製品としての濃硫酸の品質において問題になることはほとんどない。
【０００４】
近年、環境保全に配慮したいわゆる環境に優しい設備が重要視される傾向にあり、硫酸の製造設備においてもこれを受けて各種の対策が講じられている。たとえば、上記したＳＯ３吸収塔を２段にして除去率を高めたり、ＳＯ３吸収塔の充填物を改良して気液接触効率を向上させたりすることが行われている。また、触媒の改良研究や操作温度の最適化などにより亜硫酸ガスの酸化率を向上させて、ＳＯ３吸収塔で吸収できない亜硫酸ガスの残留を少なくしつつ硫酸製造装置の運転効率を高めることが行われている。
【０００５】
更に、ＳＯ３吸収塔の後段に脱硫装置を設けて硫酸製造工程で生じた亜硫酸ガスやＳＯ３などの硫黄酸化物をより低濃度まで除去することも行われている。脱硫装置を設ける場合、図１に示すように、従来はＳＯ２酸化塔１ａとＳＯ３吸収塔１ｂとからなる硫酸製造装置１の出口ガスを脱硫処理する脱硫塔２を設け、ここでＮａＯＨやＭｇ（ＯＨ）２を用いたアルカリ中和法や石灰石を用いて石膏を副生する石灰石膏法が採用されてきた。しかしこれらの方法は、中和用アルカリなどの薬剤が必要となるうえ、硫酸塩が廃棄物として発生するため、その利用や廃棄処理の際に固体ハンドリングなどの煩雑な操作及び運転管理が必要となり、多くの費用を要する。また、これが二次汚染を生じることもあった。
【０００６】
そこで、これら以外に、活性炭を用いて排煙脱硫する方法が提案されている。たとえば、特許文献１や特許文献２には、硫黄酸化物を含む排ガスを触媒に接触させて硫黄酸化物を希硫酸にして回収除去する方法が提案されている。ここで使用する触媒には、活性炭粉末にフッ素樹脂を加えて剪断力を掛けて混練した後、所定の形状に成形したものが用いられている。
【０００７】
また、特許文献３には、亜硫酸ガスを含む排ガスを２段階で処理する排煙脱硫方法が示されており、１段目の工程で排ガス中の亜硫酸ガスを石灰石のスラリーからなる吸収液で吸収し、残留する亜硫酸ガスを活性炭触媒を用いた２段目の工程で処理している。この２段目の工程において生成される希硫酸は、１段目の工程の吸収液に混ぜることで処分している。
【０００８】
また、特許文献４には、排ガス中の硫黄酸化物を除去する排煙脱硫装置の後段に浄化塔を設ける技術が提案されている。この浄化塔内には活性炭素繊維層で形成された触媒層が設けられており、排煙脱硫装置で処理された排ガスを水と共にこの触媒層に導入することにより、硫黄酸化物から希硫酸を生成することが示されている。なお、生成した希硫酸は排煙脱硫装置に供給して処分することが示されている。
【０００９】
更に、特許文献５には、亜硫酸ガスを含む排ガスを増湿及び冷却した後、活性炭系触媒に導入することにより排ガス中の亜硫酸ガスから希硫酸を生成する排煙脱硫方法が示されており、希硫酸の濃度を排ガスの熱量を利用して濃縮する技術も示されている。
【先行技術文献】
【特許文献】
【００１０】
【特許文献１】特開平１１−２９０６８８号公報
【特許文献２】特開２０００−２４４６１号公報
【特許文献３】特開平８−３３２３４５号公報
【特許文献４】特開２００４−３３７７７６号公報
【特許文献５】特開２００５−２４６２２０号公報
【非特許文献】
【００１１】
【非特許文献１】山崎八重美、「最新技術に基づく三井造船の硫酸プラント」、三井造船技法、２０１０年６月、Ｎｏ．２００、ｐ．４１−４５
【発明の概要】
【発明が解決しようとする課題】
【００１２】
上記したように活性炭系触媒を用いて脱硫する特許文献１〜５の方法は、アルカリ中和法と異なり環境への負荷が少ない優れた脱硫方法ではあるものの、生成される硫酸が希硫酸であるため、その用途が確保されている場合を除いてあまり採用されることがなかった。本発明はかかる状況に鑑みてなされたものであり、接触法の硫酸製造装置から排出された排ガスの脱硫に際して薬剤の購入や硫酸塩の廃棄に多くの費用を要することなく脱硫を経済的に行うことができ、また、脱硫により生じる希硫酸を有効利用して濃硫酸の生産量を高めることができる方法及び装置を提供することを目的としている。
【課題を解決するための手段】
【００１３】
上記目的を達成するため、本発明が提供する接触法硫酸製造装置用の脱硫方法は、亜硫酸ガスを酸化して得られた三酸化硫黄ガスを硫酸水溶液に水を供給しながら吸収させて９０ｗｔ％以上９９ｗｔ％未満の高濃度硫酸を製造する濃硫酸生成工程を含む硫酸製造装置から排出された、硫黄酸化物を含む排ガスの脱硫方法であって、前記排ガスから前記硫黄酸化物を除去しつつ該硫黄酸化物から希硫酸を生成する脱硫工程と、前記濃硫酸生成工程において前記希硫酸を前記硫酸水溶液に混ぜる混合工程とを含むことを特徴としている。
【００１４】
また、本発明が提供する接触法硫酸製造装置用の脱硫装置は、亜硫酸ガスを酸化して得られた三酸化硫黄ガスを硫酸水溶液に水を供給しながら吸収させて９０ｗｔ％以上９９ｗｔ％未満の高濃度硫酸を製造する濃硫酸生成工程を含む硫酸製造装置から排出された、硫黄酸化物を含む排ガスの脱硫装置であって、前記排ガスから前記硫黄酸化物を除去しつつ該硫黄酸化物から希硫酸を生成する脱硫手段と、前記希硫酸を前記硫酸水溶液に混ぜる混合手段とを含むことを特徴としている。
【００１５】
また、本発明が提供する硫酸製造プラントは、亜硫酸ガスを酸化して得られた三酸化硫黄ガスを硫酸水溶液に水を供給しながら吸収させて９０ｗｔ％以上９９ｗｔ％未満の高濃度硫酸を生成する濃硫酸生成手段と、硫黄酸化物を含む排ガスから前記硫黄酸化物を除去して生成した希硫酸を前記濃硫酸生成手段の前記硫酸水溶液に混ぜる混合手段とを含むことを特徴としている。
【発明の効果】
【００１６】
本発明によれば、硫酸製造装置の排ガスから硫黄酸化物を除去しつつ該硫黄酸化物から希硫酸を生成した後、前記希硫酸を硫酸水溶液に混ぜて濃硫酸を製造するため、薬剤の使用や硫酸塩の廃棄を伴わず、環境に負荷を与えることなく排ガスを脱硫することができるうえ、薬剤の購入費用や硫酸塩の廃棄費用を要することなく脱硫を経済的に行うことができる。また、脱硫により得られる希硫酸を濃硫酸の生成に有効利用することができるので濃硫酸の生産量を高めることが可能となる。
【図面の簡単な説明】
【００１７】
【図１】従来の脱硫装置をその上流の硫酸製造装置と共に示したブロックフロー図である。
【図２】本発明の脱硫装置の一具体例をその上流の硫酸製造装置と共に示した概略フロー図である。
【図３】本発明の脱硫装置の他の具体例をその上流の硫酸製造装置と共に示した概略フロー図である。
【図４】本発明の脱硫装置の更に他の具体例をその上流の硫酸製造装置と共に示した概略フロー図である。
【図５】本発明の脱硫装置で生成される希硫酸と硫酸水溶液との混合手段の種々の変形例を示した概略フロー図である。
【発明を実施するための形態】
【００１８】
本発明の脱硫方法は、亜硫酸ガスを酸化して得られた三酸化硫黄ガスを硫酸水溶液に水を供給しながら吸収させて９０ｗｔ％以上９９ｗｔ％未満の高濃度硫酸（以降、単に濃硫酸とも称する）を製造する濃硫酸生成工程を含む硫酸製造装置から排出された、硫黄酸化物を含む排ガスの脱硫方法であって、該排ガスから前記硫黄酸化物を除去しつつ該硫黄酸化物から希硫酸を生成する脱硫工程と、上記濃硫酸生成工程において希硫酸を硫酸水溶液に混ぜる混合工程とを含むことを特徴としている。
【００１９】
以下、本発明の脱硫方法を好適に実施できる硫酸製造プラントの一具体例について、図２を参照しながら説明する。この図２に示す硫酸製造プラント１は、硫酸製造装置１０と、その後段に位置する脱硫装置２０から構成される。先ず、硫酸製造装置１０について説明する。硫酸製造装置１０は、五酸化バナジウム（Ｖ２Ｏ５）触媒１１ａが充填されたＳＯ２酸化塔１１と、その後段に位置し、気液接触用の充填物で構成される充填層１３ａを備えたＳＯ３吸収塔１３とで主に構成されている。
【００２０】
ＳＯ２酸化塔１１には、硫黄の燃焼や硫化物などの焙焼によって生じた亜硫酸ガスを含む高温のガスが原料ガスとして供給され、当該原料ガスに含まれる亜硫酸ガスが酸化されて三酸化硫黄ガス（無水硫酸ガス：ＳＯ３）が生成する。得られた三酸化硫黄を含む生成ガスはＳＯ３吸収塔１３の塔底部に送られる。ＳＯ３吸収塔１３の充填層１３ａには、例えばカスケードミニリング（登録商標）などの充填物が充填されており、ここで上記三酸化硫黄を含む生成ガスと塔頂部から供給された硫酸水溶液とが向流気液接触する。これにより、該生成ガス中の三酸化硫黄が硫酸水溶液に吸収される。
【００２１】
上記三酸化硫黄を吸収した硫酸水溶液は、吸収前の硫酸水溶液に比べて硫酸濃度が高い濃硫酸としてＳＯ３吸収塔１３の塔底部から抜き出される。この抜き出される濃硫酸の内、一部は前述した塔頂部から供給される硫酸水溶液として使用されるため除かれ、残りは製品として硫酸製造装置１０から系外に排出される。なお、吸収前の硫酸水溶液と濃硫酸はＳＯ３吸収塔１３内で吸収のため液循環しているものであり、それらの濃度差は小さくほぼ同一の濃度である。
【００２２】
上記除かれた一部の濃硫酸は濃硫酸循環ポンプ１５で昇圧された後、インラインミキサーなどの希硫酸混合装置２９において、希釈用ライン１６を介して供給される希釈液が加えられて上記塔頂部から供給される硫酸水溶液となる。この希釈液には、後述する希硫酸及び必要に応じて供給される工業用水が使用され、上記製品として系外に排出される濃硫酸の量にバランスするように該希釈液の供給量が調整される。このようにして接触法により濃硫酸を製造する。
【００２３】
硫酸水溶液との接触を終えた上記生成ガスは、ＳＯ３吸収塔１３の塔頂部から排ガスとして排出される。この排ガスには、亜硫酸ガスが酸化される際に酸化されずに残った亜硫酸と、三酸化硫黄が硫酸水溶液に吸収される際に吸収されずに残った三酸化硫黄とが含まれている。このように前記排ガスには亜硫酸及び三酸化硫黄からなる硫黄酸化物が含まれているため、前記排ガスが後段の脱硫装置２０に送られて該硫黄酸化物の脱硫処理が行われる。
【００２４】
この一具体例の硫酸製造プラント１では、以下に説明するように脱硫装置２０において活性炭系触媒を用いた希硫酸副生型の脱硫処理が行われるが、脱硫方法はかかる活性炭系触媒を用いた方法に限定されるものではない。上記の例では、前記排ガスに亜硫酸及び三酸化硫黄の双方が含まれているが、これに代え、前記排ガスに亜硫酸及び三酸化硫黄のいずれか一方が含まれていてもよい。
【００２５】
脱硫装置２０における脱硫処理では、処理されるガスの湿度が高く且つ１００℃以下の温度範囲では温度も高い方が脱硫性能が高くなるため、酸素と水蒸気の存在下で３０〜６０℃程度の通常のガス温度で処理が行われる。これに対して、前述したＳＯ３吸収塔１３の出口ガスは、温度が約８５℃以下（一般的には５０〜８０℃）であって酸素が含まれているものの水蒸気はほとんど含まれていないので、そのままでは効率よく脱硫することができない。
【００２６】
そこで、この脱硫装置２０には、硫酸製造装置１０の排ガスである上記低湿度のＳＯ３吸収塔１３の出口ガスに対して水蒸気を含有させる加湿工程が脱硫工程の前段に設けられている。ガスに水蒸気を含有させる方法に限定はなく、例えば塔内にカスケードミニリング（登録商標）などの充填物が充填された充填層を設けた充填塔を用いてガスと水を向流接触させることによりガスに効率よく水蒸気を含有させることができる。
【００２７】
図２の加湿塔２１ではかかる充填層２１ａを備えた充填塔が用いられており、ここで塔底部から上記排ガスを導入すると共に塔頂部から加湿用液としての水を降らせることにより、充填層２１ａで気液を向流接触させて排ガスを加湿している。なお、上記の充填塔などの気液接触手段を用いることにより、排ガス中の不純物を除去することも可能となる。
【００２８】
充填層２１ａから滴下する加湿用の水は、加湿塔２１の塔底部から抜き出された後、水循環ポンプ２２で昇圧されて再び加湿塔２１の塔頂部に送られる。このように、加湿用水を循環させることにより、効率よく排ガスを加湿することができる。なお、加湿塔２１を循環する加湿用水（以降、循環水とも称する）は、上記排ガスの加湿や加湿塔２１から排出されるガスへの同伴（エントレメント）、更には後述する脱硫塔２５への水移送ライン２４を介した液移送により徐々に減少する。その補給のため、減少する量に見合う量の工業用水が、工水供給ライン２３から加湿塔２１に供給される。
【００２９】
上記したように、循環する加湿用水に排ガスを気液接触させて排ガスの加湿を行う場合は、加湿用水から蒸発潜熱が奪われるため、循環する加湿用水の温度及び加湿塔２１の塔頂部から排出される加湿されたガスの温度が、５℃〜３５℃程度まで低下する。これをそのまま放置した場合、水の蒸発速度が低下して十分な水蒸気分圧（相対湿度）が得られなかったり、後段の脱硫塔での脱硫性能が低下したりすることがある。
【００３０】
この問題を緩和するため、加湿用水もしくはこれに気液接触させるガスを加温しながら加湿を行うのが好ましい。加湿用水の加温方法としては、例えば加湿用水の循環系に電熱ヒーターや熱交換器を設けて加温する方法を挙げることができる。あるいは、スーパーヒート度合いが小さいスチームなどをガスに直接供給してもよい。熱交換器で加温する場合は、熱源に蒸気などの加熱媒体を使用してもよいし、他の装置の高温流体を使用してもよい。
【００３１】
たとえば、上流の硫酸製造装置１０における亜硫酸ガスの酸化反応は発熱を伴うので、これによって得られる高温のプロセス流体を熱源として用いることが考えられる。具体的には、ＳＯ３吸収塔１３の塔底部から製品として排出される高温の濃硫酸やその塔頂部から排出される出口ガスとの直接的もしくは熱媒を介した間接的な熱交換が特に効率的である。
【００３２】
加湿塔２１で加湿されたガスは、次に活性炭系触媒層２５ａを備えた脱硫塔２５の塔頂部に送られる。脱硫塔２５では、上記加湿されたガスが活性炭系触媒層２５ａを上から下に向かって流通する。その際、加湿されたガスに含まれる未反応の亜硫酸ガスが、活性炭系触媒の作用を受けて三酸化硫黄に酸化される。当該酸化された三酸化硫黄と元々含まれていた三酸化硫黄とが、活性炭表面に吸着している水分と反応して硫酸（Ｈ２ＳＯ４）になり、更にこの硫酸は、塔頂部のスプレー管２６から連続的に放散される洗浄液によって洗い流されると共に希釈され、希硫酸となって脱硫塔２５の塔底部から抜き出される。これにより、加湿されたガスの脱硫が行われる。活性炭系触媒層２５ａを出たガスは脱硫済みガスとして脱硫塔２５の塔底部から排出された後、煙突などから大気に放出される。
【００３３】
上記活性炭系触媒層２５ａに使用する活性炭系触媒は、吸着した亜硫酸ガスを酸化させた後、吸着した水と反応させて希硫酸を生成しうるものであれば活性炭原料、賦活条件、形状などに関して特に限定はないが、撥水性及び酸化力が高いものが好ましい。例えば活性炭粉をテトラフルオロエチレンと混合したものや活性炭繊維類などが好適に使用される。これを球形、円柱形、ハニカム形などの形状に成型して、金網や格子状支持材の上に積み重ねて使用する。
【００３４】
円柱状の場合は、直径０.１〜２０ｍｍ、高さ０.１〜２０ｍｍ程度のサイズのものが好適に使用される。このサイズが小さすぎると、活性炭系触媒層２５ａ内で生成した希硫酸が流下しにくくなり、圧力損失が増加するので好ましくない。一方、このサイズが大きすぎると、活性炭系触媒層２５ａ内の有効接触表面が小さくなって効率が悪くなる上、活性炭系触媒の内部からの希硫酸の流出が円滑に行われなくなる。
【００３５】
脱硫塔２５の塔底部から抜き出された希硫酸は、希硫酸循環ポンプ２７で昇圧された後、一部を除いて希硫酸循環ポンプ２７の吐出側ラインを経て脱硫塔２５の塔頂部に送られる。この吐出側ラインは活性炭系触媒層２５ａに水分を供給する給水管としての役割を担っており、その先端部は脱硫塔２５の頂部の側壁を貫通して活性炭系触媒層２５ａの上方で開口している。これにより、脱硫塔２５の塔底部から抜き出された希硫酸は、一部を除いて前述した洗浄液として再び使用される。
【００３６】
上記除かれた一部の希硫酸は、希硫酸循環ポンプ２７の吐出側ラインから分岐する希硫酸移送ライン２８を介して上流の硫酸製造装置１０に送られる。硫酸製造装置１０に送られた該一部の希硫酸は、前述した希釈用ライン１６からの工業用水の供給がある場合はこれと合流した後、ＳＯ３吸収塔１３の塔底部から抜き出される一部の濃硫酸と希硫酸混合装置２９において混ぜられて前述した吸収前の硫酸水溶液となり、ＳＯ３吸収塔１３の塔頂部に供給される。
【００３７】
このように、脱硫塔２５で回収した硫黄酸化物を希硫酸として希硫酸移送ライン２８を介してＳＯ３吸収塔１３に供給することにより、ＳＯ３吸収塔１３での水バランスに応じてＳＯ３吸収塔１３に系外から供給される工業用水の一部もしくは全部を脱硫塔２５で生成した希硫酸で代替することが可能となり、活性炭を用いた希硫酸副生型脱硫設備の利点を活かすことができる。
【００３８】
すなわち、脱硫装置まで含めた硫酸製造プラント全体として考慮したとき、工業用水の消費量を減らすことができる上、中和用アルカリなどの薬剤や硫酸塩のような廃棄物を取り扱うことなくより簡便に排ガスに含まれる硫黄酸化物を脱硫することができ、薬剤の購入費用や廃棄物の処理費用を要することなく経済的な脱硫が可能となる。しかも、脱硫により得られる希硫酸が濃硫酸の生成に寄与するようにできるので、製品としての濃硫酸の収率を高めることが可能となる。
【００３９】
ところで、上記したように脱硫塔２５の塔底部から希硫酸を一部抜き出してＳＯ３吸収塔１３に送るため、図２では当該希硫酸の抜き出し量に相当する量の水を水移送ライン２４を介して加湿塔２１から脱硫塔２５に導入している。このプロセスでＳＯ３吸収塔１３からの出口ガスを脱硫し続けたところ、脱硫性能が徐々に低下する場合があることを本発明の発明者らは確認した。
【００４０】
その原因を追及した結果、ＳＯ３吸収塔１３の出口ガスに含まれる硫酸ミストに溶解するニトロシル硫酸が触媒の活性を低下させる原因物質であることを突き止めた。さらに、ニトロシル硫酸が低濃度であれば触媒の劣化速度は遅くなるものの、時間の経過とともに触媒の性能劣化が発現することを確認した。ニトロシル硫酸は硝酸系の物質であり、鉛室法ではもともと硫酸の製造に利用されていたが、鉛室法に用いる触媒の活性を低下させる原因物質である。
【００４１】
接触法ではＳＯ３吸収塔１３の出口ガスに含まれるニトロシル硫酸の濃度は亜硫酸ガスを含む原料ガスの種類、操作条件によって異なり、原料ガスに含まれる窒素酸化物濃度が高い場合に高濃度となる傾向がある。たとえば、各種設備から製造される硫黄を燃焼して亜硫酸ガスを含む原料ガスを製造する場合には低濃度となり、硫化鉱を焙焼した場合には高濃度になる傾向がある。また、ニトロシル硫酸は、ＳＯ３吸収塔１３の塔頂部のダクトやＳＯ３吸収塔１３のミストエリミネーターなどの機器の液だまりにより多く存在することがあった。
【００４２】
この液だまりは硫酸からなり、それに含まれるニトロシル硫酸の濃度は、亜硫酸ガスの原料だけでなく装置構造によって異なるものの、数百ｍｇ／Ｌと高濃度になることが分かった。また、液だまり中には同類の硝酸系物質として硝酸や亜硝酸も含まれ得るが、これらは触媒被毒物質ではなく、よってニトロシル硫酸に対してだけ処置を施せばよいことが分かった。
【００４３】
そこで、ニトロシル硫酸による触媒活性の低下を防いで脱硫性能を安定化及び向上させ、上記した希硫酸副生型の脱硫設備の効果及び利点を享受するための方法について鋭意研究を行ったところ、ニトロシル硫酸が活性炭触媒層に極力流入しないようにシステムを構築することが経済的な対策として有効であることが分かった。
【００４４】
具体的には、図２に示すように加湿塔２１を経て循環する水を一部抜き出して脱硫塔２５に移送する代わりに、図３に示すように当該一部抜き出した液を上流の硫酸製造装置１０のＳＯ３吸収塔１３に移送し、脱硫塔２５から抜き出した希硫酸と共に希釈液として利用するのが上記ニトロシル硫酸による触媒活性の低下の抑制に対して効果的であることが分かった。この場合、脱硫塔２５には当該抜き出される希硫酸の量に見合う量の工業用水を系外から供給することが必要となる。加えて、加湿塔２１の塔頂部にミストエリミネーター（図示せず）を設けて、加湿塔２１から脱硫塔２５に送られるガスにニトロシル硫酸を含んだミストが同伴しないようにするのがより効果的である。
【００４５】
更に、加湿塔２１の塔頂部から脱硫塔２５の塔頂部に接続するライン上に水洗塔を設けたり、加湿塔２１の上部にバルブトレイなどからなる水洗用の棚段を数段設けたりして加湿されたガスに含まれ得るニトロシル硫酸の蒸気を効果的に除去してもよい。なお、この場合は、前述した工水供給ライン２３から供給される工業用水を、上記水洗塔や棚段で水洗用水として使用してから加湿塔２１に供給するのが好ましい。
【００４６】
工水供給ライン２３から供給される工業用水の供給量は、前述したように加湿塔２１における水バランスを考慮して定められるが、その結果、加湿塔２１の循環水中のニトロシル硫酸や硫酸の濃度が十分に低く、よって、ガスの蒸気圧分や同伴による脱硫塔２５へのニトロシル硫酸の混入や、水移送ライン２４を介した水の移送に伴う脱硫塔２５へのニトロシル硫酸の混入が実質的に問題にならないのであれば、上記水洗等や棚段を省くことができるし、水移送ライン２４を介した水の移送についても少なくとも部分的には移送することが可能となる。
【００４７】
なお、水バランス上は、脱硫塔２５の希硫酸を逆に加湿塔２１に流入させることも考えられるが、この場合はニトロシル硫酸の流入は抑制できるものの、加湿塔２１の硫酸濃度が高濃度になって水の蒸発速度が遅くなり、その結果、脱硫塔２５での脱硫性能が低下することを実験によって確認した。このことからも、加湿塔２１から脱硫塔２５へのニトロシル硫酸の流入の防止と加湿塔２１の循環水中の硫酸の高濃度化の抑制を両方とも達成することが望ましいことが分かる。
【００４８】
図３に示す方法は、触媒活性の低下を抑制すべくニトロシル硫酸が脱硫塔２５に混入しないシステムを構築するものであったが、これに代えて、あるいはこれと並行して加湿塔２１の循環水に含まれるニトロシル硫酸を分解する処理を行ってもよい。ニトロシル硫酸を分解する方法としては、例えば図４に示すように、加湿塔２１から脱硫塔２５に送る水移送ライン２４にニトロシル硫酸の分解槽３０を設けて、移送される水に酸化剤を添加して触媒被毒物質であるニトロシル硫酸を分解する方法を挙げることができる。
【００４９】
この方法を採用することにより水バランスをとる際のシステムの自由度が増えるうえ、運転や制御が容易になってより簡便な脱硫設備を実現することができる。ニトロシル硫酸を分解する酸化剤には、過酸化水素、次亜鉛素酸、オゾン、過硫酸などを使用することができる。これらの中では製品としての濃硫酸に残留しない薬剤である、過酸化水素やオゾンが好ましい。経済性を重視する場合は、活性炭などの触媒の存在下で、被処理水に空気などの酸素を含むガスを吹き込んで酸化分解してもよい。
【００５０】
なお、加湿塔２１の循環系もしくはそのバイパスライン上にニトロシル硫酸の分解槽３０を設け、該分解槽３０に受け入れた循環水に酸化剤を添加して触媒被毒物質であるニトロシル硫酸を分解するようにしてもよい。また、図４の方法は、分解槽３０によってニトロシル硫酸が除去された液を脱硫塔２５内の活性炭系触媒層２５ａに供給される水分として使用するものであるが、これに代えてあるいはこれと並行して当該ニトロシル硫酸が除去された液を脱硫塔２５からの希硫酸とともに濃硫酸生成工程の硫酸水溶液に混ぜてもよい。
【００５１】
以上、本発明に係る接触法硫酸製造装置向けの脱硫方法について硫酸製造プラントの一具体例を例示して説明したが、本発明はこの具体例に限定されるものではなく、本発明の主旨から逸脱しない範囲内で種々の代替例や変形例を考えることができる。例えば、ＳＯ３吸収塔１３の出口ガスと脱硫塔２５の入口ガスとをガスガスヒーターを用いて熱交換してもよく、これにより脱硫性能をより一層向上させることができる。
【００５２】
また、煙突からの白煙防止や煙突までのダクトの腐食防止を目的としてＳＯ３吸収塔１３の出口ガスと脱硫塔２５の出口ガスとを熱交換してもよい。また、酸化工程と濃硫酸生成工程とからなる硫酸製造プラントに他のプラントで生成された希硫酸を受け入れ、ここで当該外部から受け入れた希硫酸を濃硫酸の一部に混ぜて硫酸水溶液の一部又は全部を生成してもよい。
【００５３】
更に、硫黄の燃焼を亜硫酸ガス源とする場合は、ガス中の酸素濃度が低下することがあり、その場合には加湿塔２１の上流部分もしくは塔内に空気を導入して酸素濃度を上昇させることもできる。また、上記説明では加湿塔２１にミストエリミネーターを設ける例を示したが、それ以外のＳＯ３吸収塔１３や脱硫塔２５でも水溶液を取り扱うことから、そこで発生したミストがガスに伴って下流側へ同伴されることを抑制するため、ミストエリミネーターや電気集じん機などのミスト捕集手段を設けて、ミストの除去率を向上させてもよい。
【００５４】
更に、上記一具体例の硫酸製造プラントでは、硫酸水溶液の希釈の際、ＳＯ３吸収塔１３の塔底部から塔頂部にリサイクルする硫酸水溶液に希硫酸を混合するものであったが、これに限定されるものではなく、利用可能な硫酸水溶液の濃度や必要とされる濃硫酸の濃度等に応じて様々な形態をとることができる。例えば、図５（ａ）に示すように外部から導入される吸収前の硫酸水溶液に希硫酸を混合してもよいし、図５（ｂ）に示すように吸収後の硫酸水溶液に希硫酸を混合してもよい。あるいは、図５（ｃ）に示すように上記リサイクルによる硫酸水溶液の供給と並行して希硫酸をＳＯ３吸収塔１３の塔頂部に直接供給してもよい。
【００５５】
このように、図２に示した例では、ＳＯ３吸収塔１３から抜き出された濃硫酸の一部である硫酸水溶液を希釈した後、希釈された硫酸水溶液に三酸化硫黄ガスを吸収させて濃硫酸を製造するが、これに代えて三酸化硫黄ガスを硫酸水溶液に吸収させた後、三酸化硫黄ガスを吸収した硫酸水溶液を希釈して濃硫酸を製造してもよいし（図５（ｂ））、硫酸水溶液を希釈しつつ硫酸水溶液に三酸化硫黄ガスを吸収させて濃硫酸を製造してもよい（図５（ｃ））。なお、図５（ａ）〜（ｃ）では必要に応じて添加される工業用水のフローは省略している。
【実施例】
【００５６】
［実施例１］
図２に示すフローに従って試験装置を組み立てて、ＳＯ３ガスを吸収して濃硫酸を生成するＳＯ３吸収塔１３から排出された出口ガスを、加湿塔２１と脱硫塔２５とからなる希硫酸副生型の脱硫装置２０に導いて連続的に脱硫する試験を行った。活性炭系触媒層２５ａには、活性炭粉にポリテトラフルオロエチレン分散液を混ぜて混練した後、シート状に加工すると共にその一部を更に波状に加工し、これらシート状のものと波状のものを交互に重ねたものを使用した。脱硫試験時の運転条件を下記の表１に示す。
【００５７】
【表１】
2014108383.tif 000003
【００５８】
上記条件で脱硫試験を行ったところ、亜硫酸ガスの除去率（平均値）の経時変化は、試験直後７８％、１０時間後７５％、２００時間後６５％、及び４００時間後５８％となった。脱硫塔２５から抜き出される希硫酸は硫酸濃度が５〜７ｗｔ％になるよう制御しながら抜き出した。
【００５９】
４００時間経過後、加湿塔２１への工業用水の供給及び加湿用水の循環を停止したところ、脱硫率が上記より早いペースで低下することを確認した。また、劣化した活性炭系触媒を全量抜き取って水に浸漬して洗浄したものを再度充填して脱硫性能を確認したところ、試験開始初期の脱硫率より大幅に低い性能であった。
【００６０】
［実施例２］
図３に示すフローに示すように、水循環ポンプ２２の吐出側ラインから抜き出した加湿塔２１の循環水の供給先を脱硫塔２５に代えて希硫酸混合装置２９にした以外は実施例１と同じ条件で脱硫試験を実施した。その結果、脱硫率（平均値）は数十時間以降は安定し、４００時間経過後でも７５％前後で低下は認められなかった。
【００６１】
４００時間経過後、ニトロシル硫酸の試薬を脱硫塔２５の循環液中に濃度１５ｍｇ／Ｌ相当となるように添加したところ、脱硫性能はすぐに低下した。このことから、ニトロシル硫酸が触媒の劣化因子であることを確認できた。
【００６２】
［実施例３］
加湿塔２１の循環水をヒーターで４５℃前後に加温した以外は実施例２と同じ条件で脱硫試験を行った。その結果、脱硫率（平均値）は４００時間経過後で８４〜８８％前後であった。すなわち、加湿塔２１で使用する加湿用水を加温することによって、脱硫塔２５での脱硫性能をより高いレベルで維持できることが分かった。
【００６３】
［実施例４］
図４に示すフローに従って水移送ライン２４に代表径３ｍｍの活性炭を０.５Ｌ充填した分解槽３０を設け、加湿塔２１の水を分解処理してから脱硫塔２５に移送するようにした。分解槽３０には加湿塔２１の水循環ポンプ２２の吐出側ラインから１.５Ｌ／ｈで抜き出した水を導入すると共に下部から空気を０.５Ｌ／ｍｉｎの流量で吹き込んでニトロシル硫酸の分解処理を行った。これ以外は実施例１と同じ条件で脱硫試験を行った。
【００６４】
その結果、４００時間経過後のニトロシル硫酸の分解率は８４〜８８％であった。なお、加湿塔２１から分解槽３０に導入する水に含まれるニトロシル硫酸の濃度は５０ｍｇ／Ｌ、硫酸の濃度は０.２ｗｔ％であった。このように、加湿塔２１の水に含まれるニトロシル硫酸を分解処理してから脱硫塔２５に移送することにより、ニトロシル硫酸による触媒の劣化を防止することができ、脱硫塔２５での脱硫性能をより高いレベルで維持できることが分かった。
【００６５】
［実施例５］
加湿塔２１から分解槽３０に導入する水に含まれるニトロシル硫酸の濃度を５０ｍｇ／Ｌに代えて１０ｍｇ／Ｌとし、加湿塔２１の水循環ポンプ２２の吐出側ラインから抜き出した水のうちの一部を分解槽３０に供給して分解後に排出される５ｍｇ／ｈの液を脱硫塔２５に添加し、抜き出した水の残りを希硫酸混合装置２９に供給したこと以外は実施例４と同様にして脱硫試験を行った。
【００６６】
その結果、４００時間後の脱硫率（平均値）は７０％以上を維持した。このように、加湿塔２１の循環水から抜き出した水のうち、一部を分解処理して脱硫塔２５に供給し、残りをＳＯ３吸収塔に移送する場合においても触媒の劣化を防ぐことができ、長時間にわたって脱硫性能を維持できることが分かった。
【符号の説明】
【００６７】
１        硫酸製造プラント
１０      硫酸製造装置
１１      ＳＯ２酸化塔
１１ａ    五酸化バナジウム触媒
１３      ＳＯ３吸収塔
１３ａ    充填層
１５      濃硫酸循環ポンプ
１６      水供給ライン
２０      脱硫装置
２１      加湿塔
２１ａ    充填層
２２      水循環ポンプ
２３      工水供給ライン
２４      水移送ライン
２５      脱硫塔
２５ａ    活性炭系触媒層
２６      スプレー管
２７      希硫酸循環ポンプ
２８      希硫酸移送ライン
２９      希硫酸混合装置
３０      分解槽
【図１】
2014108383.tif 000004
【図２】
2014108383.tif 000005
【図３】
2014108383.tif 000006
【図４】
2014108383.tif 000007
【図５】
2014108383.tif 000008